(57)【要約】【課題】主信号の通信断を引き起こすことなくアウトオブサービス回線試験を実行可能な回線試験装置および回線試験方法を提供する。【解決手段】試験信号をデータ領域に挿入可能である一方、試験信号をデータ領域から分離可能である挿入／分離装置として設定される伝送装置０２と、挿入／分離装置に直列に接続され、挿入／分離装置０２から送信された試験信号を折返して挿入／分離装置へ送信可能である折返し装置として設定される伝送装置０３との間で試験信号を送受し伝送装置区間内の回線試験を行なう回線試験方法において、回線試験の実行中、挿入／分離装置０２又は折返し装置０３が監視制御情報を検出した場合に、試験信号の送信と共に、回線試験中であっても制御可能な非試験用データ領域を用いて伝送装置間における監視制御情報の通信を行なうようにした。【選択図】図１
2008244714.tif 000002
【特許請求の範囲】
【請求項１】
試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受し伝送装置区間内の回線試験を行なう回線試験方法において、
回線試験の実行中、前記挿入／分離装置又は前記折返し装置が監視制御情報を検出した場合に、試験信号の送信と共に、回線試験中であっても制御可能な非試験用データ領域を用いて伝送装置間における監視制御情報の通信を行なう
ことを特徴とする回線試験方法。
【請求項２】
請求項１記載の回線試験方法において、
伝送装置区間内のアウトオブサービス回線試験の実行中には前記クライアント側ＩＦの光出力停止もしくは不正信号送信による出力制御を行う
ことを特徴とする回線試験方法。
【請求項３】
請求項２記載の回線試験方法において、
前記挿入／分離装置が、試験信号の送信方向に対して上流側に位置する装置から監視制御情報を受信した場合は、試験信号を前記折返し装置へ送信すると共に、前記非試験用データ領域を用いて監視制御情報を前記折返し装置へ送信し、前記折返し装置において前記試験信号を折返し前記挿入／分離装置へ送信すると共に、前記監視制御情報を前記試験信号の受信方向に対して下流側へ送信する一方、
前記折返し装置が、折返し送信する試験信号の送信方向に対して上流側に位置する装置から監視制御情報を受信した場合は、試験信号を折返し送信すると共に、前記折返し装置において前記非試験用データ領域を用いて監視制御情報を前記挿入／分離装置へ送信し、前記挿入／分離装置において前記試験信号を分離すると共に、前記監視制御情報を前記試験信号の受信方向に対して下流側へ送信する
ことを特徴とする回線試験方法。
【請求項４】
請求項２記載の回線試験方法において、
回線試験の実行中に前記折返し装置において監視制御情報を検出した場合に、前記監視制御情報に対する擬似制御信号を下流側の伝送装置に転送することによって、
回線試験中におけるクライアント側ＩＦの光出力停止もしくは不正信号送信による出力制御を行うことを特徴とする回線試験方法。
【請求項５】
請求項３又は請求項４に係る回線試験方法において、前記回線試験を、フレームによる伝送方式において適用することを特徴とする回線試験方法。
【請求項６】
請求項３又は請求項４に係る回線試験方法において、前記回線試験を、パケットによる伝送方式において適用することを特徴とする回線試験装置および回線試験方法。
【請求項７】
ネットワーク間を接続する複数の伝送装置を有し、試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受してアウトオブサービス回線試験を行なう回線試験装置において、
前記挿入／分離装置が、
回線試験中においても制御可能な非試験用データ領域に対して一定比率で前記試験信号を挿入する試験信号挿入部と、
試験信号が挿入されたデータ領域を試験用データ領域として出力し、前記試験用データ領域以外のデータ領域を非試験用データ領域として出力する伝送信号送信処理部と、
前記試験用データ領域のみを分離する試験信号分離部と、
前記試験信号挿入部、前記伝送信号送信処理部、及び前記試験信号分離部を監視制御する監視制御部とを具備するＩＦ部を備え、
前記折返し装置が、
前記試験用データ領域と前記非試験用データ領域とを識別して検出する伝送信号受信処理部と、
前記試験用データ領域のみを折返す試験信号折返し部と、
前記伝送信号受信処理部、及び前記試験信号折返し部を監視制御する監視制御部とを具備するＩＦ部を備える
ことを特徴とする回線試験装置。
【請求項８】
請求項７記載の回線試験装置において、
前記折返し装置のＩＦ部が、
前記伝送信号受信処理部によって検出した障害伝達信号を、主信号領域内にあって制御可能なデータ領域に対して書き込み可能な伝送信号送信処理部を有する
ことを特徴とする回線試験装置。
【発明の詳細な説明】
【技術分野】
【０００１】
本発明は、回線試験装置および回線試験方法に関する。
【背景技術】
【０００２】
伝送装置および伝送システムにおける主信号、すなわち回線の正常性を確認する回線試験に関する技術としては、主信号の通信に影響を与えずにサービス提供中に実行可能なインサービス回線試験機能と、サービス提供前もしくは障害発生時の障害切分け時のようなサービス提供外での使用が想定されるアウトオブサービス回線試験機能が挙げられる。インサービス回線試験機能は主信号のパケットやフレームにおいて監視制御情報を格納するオーバヘッド部や、主信号を格納するペイロード部のパスオーバヘッドのようなデータ領域を使用する回線試験機能であり、主信号に影響を与えないことからサービス提供中の回線試験に用いられる。これに対し、アウトオブサービス回線試験機能は、ペイロード部に試験パターンを挿入するなど、主信号が格納されるデータ領域を用いて行う回線試験機能であって、詳細な測定が実施可能であるが、主信号の通信を遮断する（以下、通信断という）ため、サービス提供中には使用することができない。
【０００３】
一方、トラヒックを冗長化するネットワーク構成としては、例えば、図５、図６、図７にそれぞれ示す三つの構成が挙げられる（例えば、非特許文献１，２参照）。図５は伝送装置側でパス切替を行う形態を有するネットワーク構成（以下、第１のネットワーク構成という）、図６は伝送装置側で二経路化（リング）となっているネットワークであって、クライアント装置でパス切替を行う形態を有するネットワーク構成（以下、第２のネットワーク構成という）、図７は異なる伝送システムに０系パスと１系パスを収容し、伝送装置側で二経路化（リング）となっていないネットワークであって、クライアント装置でパス切替を行う形態を有するネットワーク構成（以下、第３のネットワーク構成という）を示している。
【０００４】
図３に示すように、第１のネットワーク構成は、クライアント装置２２１，２２２間に、クライアント装置２２１，２２２間を接続する伝送装置２０１，２０２，２１２，２０３，２１３，２０４が設けられ、伝送装置２０１，２０４でパス切替を行うことを可能としたネットワークである。伝送装置２０１，２０４はパス終端ノードとしてそれぞれクライアント装置２２１，２２２に接続され、伝送装置２０１，２０４間の０系パスの経路に伝送装置２０２，２０３、１系パスの経路に伝送装置２１２，２１３が配置されている。なお、伝送装置２０１，２０４はそれぞれ二つの端局用ＩＦ部２３１、二つの中継局用ＩＦ部２３２を具備し、伝送装置２０２，２１２，２０３，２１３はそれぞれ一つの中継局用ＩＦ部２３２を具備している。
【０００５】
該第１のネットワーク構成においては、通常時は図３（ａ）に示すように０系パスを介して通信を行い、０系パスの障害（図中、ｘ印で示す）発生時は図３（ｂ）に示すように伝送装置２０１，２０４が０系パスから１系パスへパス切替を行うことによって、１系パスを介して通信を行う。
【０００６】
このような第１のネットワーク構成としては、従来のＳＯＮＥＴ／ＳＤＨリングやＯＡＤＭ（Optical Add-Drop Multiplxer）が考えられる。本構成によれば、パス終端ノードにおいて０系／１系パスから障害を検出するだけでなく、全ノード間でリアルタイムに監視制御情報をそれぞれ時計回り、反時計回りに通信するＯＳＣ（Optical Supervisory Channel）からも障害を検出することが可能である。ＯＳＣで障害検出を行う場合、通信する監視制御情報によって障害発生位置の特定が可能である。
【０００７】
また、第２のネットワーク構成は、図４に示すように、クライアント装置３２１，３２２間に、クライアント装置３２１，３２２間を接続する伝送装置３０１，３０２，３１２，３０３，３１３，３０４が設けられ、クライアント装置３２１，３２２でパス切替を行うことを可能としたネットワークである。伝送装置３０１，３０２，３１２，３０３，３１３，３０４の配置は図３に示した伝送装置２０１，２０２，２１２，２０３，２１３，２０４の配置と同様であり、詳しい説明は省略する。伝送装置３０１，３０４はそれぞれ二つの端局用ＩＦ部３３１を具備し、伝送装置３０２，３１２，３０３，３１３はそれぞれ一つの中継局用ＩＦ部３３２を具備している。
【０００８】
第３のネットワーク構成は、図５に示すように、クライアント装置４２１，４２２間に、クライアント装置４２１，４２２間を接続する伝送装置４０１〜４０４，４１１〜４１４が設けられ、クライアント装置４２１，４２２でパス切替を行なうことを可能としたネットワークである。伝送装置４０１〜４０４は０系パスの経路に配置され、伝送装置４１１〜４１４は１系パスの経路に配置されている。伝送装置４０１，４１１はパス終端ノードとしてクライアント装置４２１に接続され、伝送装置４０４，４１４はパス終端ノードとしてクライアント装置４２２に接続されている。伝送装置４０１，４１１，４０４，４１４はそれぞれ端局用ＩＦ部４３１を具備し、伝送装置４０２，４１２，４０３，４１３はそれぞれ中継局用ＩＦ部４３２を具備している。
【０００９】
第２、第３のネットワーク構成は、伝送装置のＷＤＭ化に伴って増加している構成である。これら二つの構成においては、伝送装置でパス切替を行わず、上述したようにクライアント装置３２１，３２２、クライアント装置４２１，４２２でEnd-to-Endのパス切替を行うため、伝送装置および伝送システムは、接続するクライアント装置に障害が発生したことを伝達する障害伝達機能を具備する必要がある。障害伝達機能は、障害が発生した場合に、下流側の伝送装置におけるクライアント側ＩＦの光出力停止もしくは不正信号送信を行うことにより、クライアント装置に障害発生を通知する機能である。以降、本明細書では、障害発生時に光出力停止を伴う構成について説明するものとする。
【００１０】
第２、第３のネットワーク構成においては、それぞれ通常時は図４（ａ）、図５（ａ）に示すように０系パスを介して通信を行い、０系パスの障害発生時は図４（ｂ）、図５（ｂ）に示すようにクライアント装置３２１，３２２、クライアント装置４２１，４２２が０系パスから１系パスへパス切替を行うことによって、１系パスを介して通信を行う。
【００１１】
図４（ｂ）、図５（ｂ）には、それぞれ障害を検出した伝送装置３０３、伝送装置４０３が伝送装置３０２、伝送装置４０２を介して下流側の伝送装置３０１、伝送装置４０１へ障害発生を通知し、伝送装置３０１、伝送装置４０１がクライアント側ＩＦの光出力停止（図４、図５中、黒点で示す）を行う例を示している。これにより、クライアント装置３２１、クライアント装置４２１は０系パスの障害発生を検出し、通信を行なう回線を０系パスから１系パスに切替えるとともに、クライアント装置３２２、クライアント装置４２２に対して０系パスの障害発生を通知する。クライアント装置３２２、クライアント装置４２２は、クライアント装置３２１、クライアント装置４２１から予備パス等を介して０系パスの障害情報を受信すると、０系パスから１系パスにパス切替を行う。以上により、障害復旧が行われるのである。なお、クライアント装置３２２、クライアント装置４２２は、自身で障害を検出するのではなく、クライアント装置３２１、クライアント装置４２１からの障害通知に基づいてパス切替を行う。
【００１２】
ここで、第２および第３のネットワーク構成における障害伝達機能に対しては、以下に示すような実装方法が考えられる。なお、実現する方法によっては、主信号の障害が発生した位置に対して下流側のクライアント側ＩＦだけではなく、主信号の障害が発生した位置に対して上流側のクライアント側ＩＦにおいても光出力停止を行うことが可能である。
〔方法１〕障害を検出した伝送装置が、オーバヘッド部の情報バイトに障害伝達機能の制御信号を書き込んで送信し、下流側の伝送装置において該制御信号を検出する方法。
〔方法２〕障害を検出した伝送装置の警報（e.g.ＬＯＳ警報）によって下流側の伝送装置に波及する警報（e.g.ＡＩＳ警報）を障害伝達機能のトリガーとする方法。なお、下流側の伝送装置において直接信号の異常を検出し、光出力停止のトリガーとする場合についても本方法に分類する。
〔方法３〕障害を検出した伝送装置が障害発生を示す特定の信号パターンを下流側伝送装置に送信し、下流側の伝送装置において該信号パターンを検出する方法。
〔方法４〕障害を検出した伝送装置が障害発生を示す監視制御（Operation，Administration and Management：ＯＡＭ）用のフレームもしくはパケットを下流側の伝送装置に送信し、下流側の伝送装置において障害伝達機能のトリガーとする方法（ＡＴＭにおけるＡＩＳセル等）。
【００１３】
なお、ペイロード部のパスオーバヘッド等に障害伝達機能の制御信号を書き込んで送信し、下流側の伝送装置において本制御信号を検出する方法も考えられるが、中継局用ＩＦ盤ではパス終端を行い、制御信号を書きこむ必要があるため、現実的ではない。
【００１４】
また、リングネットワーク等におけるＯＳＣによる監視制御情報通信を用いて、障害発生位置を特定し、クライアント側ＩＦの光出力停止を行う方法も考えられるが、図５に示す構成に対しては適用不可であり、根本的手段となり得ない。
【００１５】
本明細書では、上記の障害伝達機能のトリガーとなる制御信号、警報、特定の信号パターン、監視制御用フレームもしくはパケットを総称して障害伝達信号と呼ぶことにする。
【００１６】
次に、図６、図７に基づいて図３乃至図５に示す端局用ＩＦ部２３１，３３１，４３１、中継局用ＩＦ部２３２，３３２，４３２について説明する。図６は回線試験機能を備える端局用ＩＦ部の構成を示すブロック図、図７は回線試験機能を備える中継局用ＩＦ部の構成を示すブロック図である。
【００１７】
端局用ＩＦ部２３１，３３１，４３１はクライアント側ＩＦを有し、クライアント装置に接続される伝送装置（例えば、図４では伝送装置３０１，３０４）に実装されるＩＦ部であり、図６に示すように、クライアント装置に対する処理を行なう光信号受信部３１ａ、光信号送信部３１ｂ、クライアント信号受信処理部３１ｃ、クライアント信号送信処理部３１ｄ、さらに伝送装置に対する処理を行なう光信号送信部３１ｇ、光信号受信部３１ｈ、伝送信号送信処理部３１ｉ、伝送信号受信処理部３１ｊ、試験信号挿入部３１ｋ、試験信号分離／折返し部３１ｌ、そしてこれらを監視制御する監視制御部３１ｍから構成される。
【００１８】
また、中継局用ＩＦ部２３２，３３２，４３２は伝送信号を中継する伝送装置（例えば、図４では伝送装置３０２，３０３，３１２，３１３）に実装されるＩＦ部であり、図７に示すように、両端の伝送装置に対する処理を行なう光信号受信部３２ａ，３２ｈ、光信号送信部３２ｂ，３２ｇ、伝送信号受信処理部３２ｃ，３２ｊ、伝送信号送信処理部３２ｄ，３２ｉ、試験信号分離／折返し部３２ｅ，３２ｌ、試験信号挿入部３２ｆ，３２ｋと、そしてこれらを監視制御する監視制御部３２ｍから構成される。
【００１９】
光信号受信部３１ａ，３１ｈ，３２ａ，３２ｈは、クライアント装置もしくは伝送装置から受信した光信号を光−電気信号変換し、電気信号処理に適した信号形式に変換するとともに、障害検出をおこなう機能部である。
【００２０】
光信号送信部３１ｂ，３１ｇ，３２ｂ，３２ｇは、それぞれクライアント信号送信処理部３１ｄ、伝送信号送信処理部３１ｉ，３２ｄ，３２ｉから転送される電気信号を電気−光変換により、適切な光信号出力や波形をもつ光信号に変換して送信する機能部である。
【００２１】
クライアント信号受信処理部３１ｃは、クライアント装置側の光信号受信部３１ａより転送されるクライアント信号に対して、パケットやフレームの検出、制御信号の読み出し、障害の検出を行い、必要に応じてクライアント信号の終端を行う機能部である。
【００２２】
クライアント信号送信処理部３１ｄは、クライアント信号として必要な制御情報を付加し、適切なフレーム形式もしくはパケット形式となるようにオーバヘッド部やペイロード部の組み立てを行い、適切な信号フォーマットへ変換する機能部である。
【００２３】
伝送信号受信処理部３１ｊ，３２ｃ，３２ｊは、それぞれ伝送装置側の光信号受信部３１ｈ，３２ａ，３２ｈより転送される伝送信号に対して、パケットやフレームの検出、制御信号の読み出し、障害の検出を行い、必要に応じて伝送信号の終端を行う機能部である。
【００２４】
伝送信号送信処理部３１ｉ，３２ｄ，３２ｉは、伝送信号として必要な制御情報を付加し、適切なフレーム形式もしくはパケット形式となるようにオーバヘッド部やペイロード部の組み立てを行い、適切な信号フォーマットへ変換する機能部である。
【００２５】
試験信号挿入部３１ｋ，３２ｆ，３２ｋは、試験パターン、および挿入した試験パターンに対する演算結果を試験信号として挿入する機能部である。なお、一般的に、試験パターンは主信号のペイロード部に格納し、演算結果は伝送信号処理部において制御信号として付加される。
【００２６】
試験信号分離／折返し部３１ｌ，３２ｅ，３２ｌは、受信した試験信号の分離もしくは折返しを行い、分離部においては受信した試験パターンに対して演算を行い、この演算結果と、挿入装置における演算結果とを比較することによって回線試験の正常性の確認を行う機能部である。
【００２７】
伝送装置がそれぞれの用途に応じて端局用ＩＦ部または中継局用ＩＦ部を備えることにより、回線試験を実行することが可能となる。
【００２８】
なお、主信号の伝送方法に関しては、フレーム方式とパケット方式がある。図８は、ＳＯＮＥＴ／ＳＤＨにおけるフレームの形式例であり、監視制御情報を格納するオーバヘッド部と主にユーザデータの格納に使用されるペイロード部から構成される。フレーム方式では、フレームの終了ビットの次ビットは次のフレームの開始ビットとなり、フレーム間は隙間なく伝送される。これに対して、図９にイーサネット（Ｅｔｈｅｒｎｅｔ：登録商標）におけるパケットの形式を示す。図９に示すように、パケット方式では、パケットの終了ビットは次のパケットの開始ビットとはならず、ユーザデータがある場合のみ送受信され、パケット間はインターフレームギャップ（ＩＦＧ）とよばれるデータが伝送される。
【００２９】
【非特許文献１】ITU-T Reccommendation G.707、「9.Overhead bytes description」、2003年12月1日、p.73-94
【非特許文献２】ITU-T Reccommendation G.709、「15.Overhead description」、2003年3月1日、p.27-51
【発明の開示】
【発明が解決しようとする課題】
【００３０】
しかしながら、図４、図５に示すようなクライアント装置によりEnd-to-Endでパス切替を行うネットワーク構成においては、アウトオブサービス回線試験機能が障害伝達信号の妨げとなり、サービス断を生じさせる場合がある。
【００３１】
図１０にアウトオブサービス回線試験機能が障害伝達信号の妨げとなる事例を示す。なお、図１０に示すネットワーク構成は、図５に示し上述した第３のネットワーク構成と同一である。以下、図５に示し上述した構成要素と同一のものについては同一符号を付し、重複する説明は適宜省略する。
【００３２】
図１０に示すネットワーク構成は、０系パスの経路に四つの伝送装置４０１〜４０４、１系パスの経路に四つの伝送装置４１１〜４１４が配置され、クライアント装置４２１，４２２においてパス切替を行うネットワークである。該ネットワーク構成において、０系パスの伝送装置４０４から伝送装置４０３へ信号を伝達する経路に障害、例えばファイバカットが発生した場合を想定すると、図５（ｂ）に示し上述したように、障害伝達機能により伝送装置４０１のクライアント側ＩＦが光出力を停止されるため、クライアント装置４２１，４２２が０系パスから１系パスへパス切替を行い、障害復旧が行われる。
【００３３】
このような状態において、保守者が障害切り分け作業によって障害発生箇所を特定するために伝送装置４０２と伝送装置４０３の間でアウトオブサービス回線試験を実施した場合を想定する。該回線試験は、伝送装置４０２において挿入された試験信号を伝送装置４０３へ送信し、伝送装置４０３において試験信号を伝送装置４０２へ折り返し送信し、伝送装置４０２において試験信号を分離するものである。
【００３４】
伝送装置４０３は、伝送装置４０２から受信した試験パターンを折り返して再び伝送装置４０２へ送信する構成となっているため、伝送装置４０４から受信したパケットもしくはフレームのペイロード部に格納されたデータは伝送装置４０２へは送信されない。この場合、上記〔方法３〕、〔方法４〕による障害伝達機能では、パケットもしくはフレームのペイロード部のデータが破棄されるため、下流側の伝送装置４０１へ障害発生を伝達できない。すなわち、図１０中、白点で示すように伝送装置４０１のクライアント側ＩＦの光出力停止を行うことができない。
【００３５】
さらに、アウトオブサービス回線試験機能は、主信号の通信断を前提とした回線試験機能であるため、回線試験機能以外の機能が一部制限されるなど、正常な運用状態と比較して以下のような事象が発生する可能性がある。
【００３６】
例えば、警報に関する事象として、以下のような事象が発生する可能性がある。
（１）転送されるべき警報が転送されず、警報が一時的に回復したように見える。
（２）試験信号挿入／分離／折り返しに伴うクロックの切替や、挿入する試験パターンを不正データと判断することなどによって、試験に伴う不要な警報が発生、通知される。
【００３７】
また、制御信号に関する事象として、以下のような事象が発生する可能性がある。
（３）転送されるべき制御情報が転送されない。
（４）試験機能以外に関する情報バイトへのデータの書込み禁止や読出し停止が発生する。
（５）通常時は別目的で使用されている一部の情報バイトがアウトオブサービス回線試験機能の情報バイトとして使用され、強制的に特定のビットパターンに書換えられる。
（６）折返し装置において、試験結果に影響のない情報バイトの制御バイトをそのまま折り返したり、制御バイトを削除してそのまま下流側装置へ送信する。
【００３８】
したがって、上記〔方法１〕〜〔方法４〕のいずれによる障害伝達機能においても、障害伝達信号が遮断され、下流側の伝送装置へ障害伝達ができなくなる可能性がある。一般的には、上記の事象は折返し装置において発生する場合が多く見られる。
【００３９】
図１１に、アウトオブサービス回線試験機能が障害伝達信号の妨げとなる二つ目の事例を示す。図１１に示すネットワーク構成は、０系パスの経路に六つの伝送装置５０１〜５０６、１系パスの経路に六つの伝送装置５１１〜５１６が配置され、クライアント装置５２１，５２２においてパス切替を行うネットワークである。このようなネットワークにおいて、０系パスの伝送装置５０４から伝送装置５０３へ信号を伝達する経路において図中にｘ印で示すように障害、例えばファイバカットが発生した場合、図１１（ａ）に示すように、障害伝達機能により伝送装置５０１のクライアント側ＩＦ、伝送装置５０６のクライアント側ＩＦが光出力停止される（図１１中、黒点で示す）ため、クライアント装置５２１，５２２は０系パスから１系パスへパス切替を行い、障害復旧が行われる。
【００４０】
このような状態において、障害切分けを行うために障害発生箇所をはさみこむように、伝送装置５０１及び伝送装置５０２間、伝送装置５０５及び伝送装置５０６間でアウトオブサービス回線試験を行った場合、図１１（ｂ）に示すように、クライアント装置５２１及びクライアント装置５２２において障害伝達機能が実現されない状態となり、クライアント側ＩＦの光出力停止が解除される（図中、白点で示す）おそれがある。本事例によれば、障害が発生した経路（図１１において、クライアント装置５２２からクライアント装置５２１へ向かう０系パスの経路）とは反対方向の経路の下流側に位置するクライアント装置５２２側のクライアント側ＩＦの光出力停止を実行していた場合においても、障害伝達機能を実現できなくなってしまう場合があることが分かる。
【００４１】
以上に示したように、クライアント装置５２１，５２２によりEnd-to-Endでパス切替を行うネットワーク構成においては、アウトオブサービス回線試験機能により障害伝達信号が妨げられ、クライアント側ＩＦの光出力停止が解除される事象が発生することが考えられる。そして、例えば０系パスの障害時にアウトオブサービス回線試験を実行し、クライアント装置５２１，５２２が回線試験実行中に０系パスの障害が回復したと誤判断すると、クライアント装置５２１，５２２において１系パスから障害が発生している０系パスへとパスの切戻しが行われ、主信号の通信断（サービス断）を生じさせてしまうという問題が考えられる。
【００４２】
このようなことから本発明は、主信号の通信断を引き起こすことなくアウトオブサービス回線試験を実行可能な回線試験装置および回線試験方法を提供することを目的とする。
【課題を解決するための手段】
【００４３】
上記の課題を解決するための第１の発明に係る回線試験方法は、試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受し伝送装置区間内の回線試験を行なう回線試験方法において、回線試験の実行中、前記挿入／分離装置又は前記折返し装置が監視制御情報を検出した場合に、試験信号の送信と共に、回線試験中であっても制御可能な非試験用データ領域を用いて伝送装置間における監視制御情報の通信を行なうことを特徴とする。
【００４４】
上記の課題を解決するための第２の発明に係る回線試験方法は、第１の発明において伝送装置区間内のアウトオブサービス回線試験の実行中には前記クライアント側ＩＦの光出力停止もしくは不正信号送信による出力制御を行うことを特徴とする。
【００４５】
上記の課題を解決するための第３の発明に係る回線試験方法は、第２の発明において、前記挿入／分離装置が、試験信号の送信方向に対して上流側に位置する装置から監視制御情報を受信した場合は、試験信号を前記折返し装置へ送信すると共に、前記非試験用データ領域を用いて監視制御情報を前記折返し装置へ送信し、前記折返し装置において前記試験信号を折返し前記挿入／分離装置へ送信すると共に、前記監視制御情報を前記試験信号の受信方向に対して下流側へ送信する一方、前記折返し装置が、折返し送信する試験信号の送信方向に対して上流側に位置する装置から監視制御情報を受信した場合は、試験信号を折返し送信すると共に、前記折返し装置において前記非試験用データ領域を用いて監視制御情報を前記挿入／分離装置へ送信し、前記挿入／分離装置において前記試験信号を分離すると共に、前記監視制御情報を前記試験信号の受信方向に対して下流側へ送信することを特徴とする。
【００４６】
上記の課題を解決するための第４の発明に係る回線試験方法は、第２の発明において、回線試験の実行中に前記折返し装置において監視制御情報を検出した場合に、前記監視制御情報に対する擬似制御信号を下流側の伝送装置に転送することによって、回線試験中におけるクライアント側ＩＦの光出力停止もしくは不正信号送信による出力制御を行うことを特徴とする。
【００４７】
上記の課題を解決するための第５の発明に係る回線試験方法は、第３又は第４の発明において、前記回線試験を、フレームによる伝送方式において適用することを特徴とする。
【００４８】
上記の課題を解決するための第６の発明に係る回線試験方法は、第３又は第４の発明において、前記回線試験を、パケットによる伝送方式において適用することを特徴とする回線試験装置および回線試験方法。
【００４９】
上記の課題を解決するための第７の発明に係る回線試験装置は、ネットワーク間を接続する複数の伝送装置を有し、試験信号をデータ領域に挿入可能である一方、前記試験信号をデータ領域から分離可能である挿入／分離装置として設定される伝送装置と、前記挿入／分離装置に直列に接続され、前記挿入／分離装置から送信された前記試験信号を折返して前記挿入／分離装置へ送信可能である折返し装置として設定される伝送装置との間で試験信号を送受してアウトオブサービス回線試験を行なう回線試験装置において、前記挿入／分離装置が、回線試験中においても制御可能な非試験用データ領域に対して一定比率で前記試験信号を挿入する試験信号挿入部と、試験信号が挿入されたデータ領域を試験用データ領域として出力し、前記試験用データ領域以外のデータ領域を非試験用データ領域として出力する伝送信号送信処理部と、前記試験用データ領域のみを分離する試験信号分離部と、前記試験信号挿入部、前記伝送信号送信処理部、及び前記試験信号分離部を監視制御する監視制御部とを具備するＩＦ部を備え、前記折返し装置が、前記試験用データ領域と前記非試験用データ領域とを識別して検出する伝送信号受信処理部と、前記試験用データ領域のみを折返す試験信号折返し部と、前記伝送信号受信処理部、及び前記試験信号折返し部を監視制御する監視制御部とを具備するＩＦ部を備えることを特徴とする。
【００５０】
上記の課題を解決するための第８の発明に係る回線試験装置は、第７の発明において、前記折返し装置のＩＦ部が、前記伝送信号受信処理部によって検出した障害伝達信号を、主信号領域内にあって制御可能なデータ領域に対して書き込み可能な伝送信号送信処理部を有することを特徴とする。
【発明の効果】
【００５１】
本発明によれば、クライアント装置でのパス切替によりトラヒックの冗長化を行うネットワークにおいて、アウトオブサービス回線試験を実行中のパスをクライアント装置が選択することがなくなるため、主信号の通信断、すなわちサービス断を引き起こすことなく、回線試験を実行できる。
【発明を実施するための最良の形態】
【００５２】
本発明の実施形態を以下に示す。なお、各実施形態においてはフレーム方式について説明するが、フレームをパケットと読み替えることでパケット方式に対しても適用可能である。
【００５３】
〔第１の実施形態〕
本発明の第１の実施形態について説明する。本実施形態は、試験信号を格納する試験用フレームとは別に非試験用データ領域としての非試験用フレームを定義し、該非試験用フレームを介して障害伝達信号を転送するものである。
【００５４】
本実施形態に係る回線試験装置は、二つのクライアント装置間を接続する複数の伝送装置を有するものであって、該伝送装置において以下に示す処理を行なう。
【００５５】
すなわち、送信フレームの総フレーム数に対して一定比率のフレームのペイロード部に試験信号を挿入可能である試験信号挿入部と、試験信号がペイロード部に挿入されたフレームを試験用フレームとして送信可能であると共に、ペイロード部に試験信号が挿入されていないフレームを非試験用フレームとして送信可能である伝送信号送信処理部と、試験用フレームと非試験用フレームを識別して検出できる伝送信号受信処理部と、試験用フレームのみを分離もしくは折返すことが可能である試験信号分離／折返し部と、これら試験信号挿入部、伝送信号送信処理部、伝送信号受信処理部、試験信号分離／折返し部を監視制御する監視制御部とを具備する中継局用ＩＦ部を有する伝送装置を回線試験に用いる場合、該伝送装置において以下の処理を行なう。
【００５６】
上記中継局用ＩＦ部を有する伝送装置が、アウトオブサービス回線試験の試験区間において挿入／分離装置であって、試験信号をペイロード部に挿入する装置として位置づけられる場合は、上流側の装置（クライアント装置または伝送装置）から受信するフレームにおける障害伝達信号を監視し、障害伝達信号を検出した場合は、非試験用フレームに障害伝達信号を格納して、試験信号の送信方向に試験用フレームと非試験用フレームを一定比率で下流側の伝送装置に送信する。なお、障害伝達信号を検出しない場合は、空フレーム（もしくは受信した伝送信号）を下流側の伝送装置に送信する等の方法が考えられる。
【００５７】
上記中継局用ＩＦ部を有する伝送装置が、アウトオブサービス回線試験の試験区間において折返し装置、即ち試験信号を折返して送信する装置として位置づけられる場合は、試験信号の受信方向において、非試験用フレームにおける障害伝達信号を監視し、障害伝達信号を検出した場合は、次の非試験用フレームを受信するまでの間、より詳しくは、障害伝達信号を含まない非試験用フレームを受信するまでの間、下流側の伝送装置に対して障害伝達信号を送信する。さらに、折返し送信される試験信号の送信方向において、上流側の伝送装置より受信するフレームにおける障害伝達信号を監視し、障害伝達信号を検出した場合は、障害伝達信号を非試験用フレームに格納して下流側の伝送装置に送信する。
【００５８】
上記中継局用ＩＦ部を有する伝送装置が、アウトオブサービス回線試験の試験区間において挿入／分離装置であって、試験信号をペイロード部から分離する装置として位置づけられる場合は、試験信号分離／折返し部において試験用フレームのみを分離する一方、非試験用フレームにおける障害伝達信号を監視し、障害伝達信号を検出した場合は、障害伝達信号を含まない非試験用フレームを受信するまでの間、下流側の伝送装置に対して障害伝達信号を送信する。
【００５９】
また、パス終端ノードを構成する伝送装置であって、送信フレームの総フレーム数に対して一定比率のフレームのペイロード部に試験信号を挿入可能な試験信号挿入部と、試験信号がペイロード部に挿入されたフレームを試験用フレームとして送信可能であって、ペイロード部に試験信号が挿入されていないフレームを非試験用フレームとして送信可能である伝送信号送信処理部と、試験用フレームと非試験用フレームを識別して検出できる伝送信号受信処理部と、試験用フレームのみを分離もしくは折返すことが可能な試験信号分離／折返し部と、そしてこれら試験信号挿入部、伝送信号送信処理部、伝送信号受信処理部、試験信号分離／折返し部を監視制御する監視制御部とを具備する端局用ＩＦ部を有する伝送装置を回線試験に用いる場合、該伝送装置において以下の処理を行なう。
【００６０】
上記端局用ＩＦ部を有する伝送装置が、アウトオブサービス回線試験の試験区間において挿入／分離装置の、試験信号をペイロード部に挿入する装置に位置づけられる場合であって、クライアント側ＩＦにて障害を検出した場合は、非試験用フレームに障害伝達信号を格納して、試験信号の送信方向に試験用フレームと非試験用フレームを一定比率で下流側の伝送装置に送信する。障害伝達信号を検出しない場合は、空フレーム（もしくは受信した伝送信号）を下流側の伝送装置に送信する等の方法が考えられる。
【００６１】
上記端局用ＩＦ部を有する伝送装置が、アウトオブサービス回線試験の試験区間において折返し装置に位置づけられる場合は、試験信号の受信方向において、非試験用フレームにおける障害伝達信号を監視し、障害伝達信号を検出した場合は、障害伝達信号を含まない非試験用フレームを受信するまでの間、クライアント側ＩＦの光出力停止を実行する。さらに、折返し送信される試験信号の送信方向においてクライアント側ＩＦにおける障害を監視し、障害を検出した場合は、障害伝達信号を非試験用フレームに格納して下流側の伝送装置に送信する。
【００６２】
上記端局用ＩＦ部を有する伝送装置が、アウトオブサービス回線試験の試験区間において挿入／分離装置であって、試験信号をペイロード部から分離する装置に位置づけられる場合は、試験信号分離／折返し部において試験用フレームのみを分離し、非試験用フレームにおける障害伝達信号を監視し、障害伝達信号を検出した場合は、クライアント側ＩＦの光出力停止を実行する。
【００６３】
ただし、例えば、特定の信号パターンを障害伝達信号として転送する上述した〔方法３〕のように、上記特定の信号パターンをそのままでは非試験用フレームのオーバヘッド部に障害伝達信号として格納できない場合は、制御情報として擬似的に障害伝達信号（以下、擬似障害伝達信号）を定義し、非試験用フレームのオーバヘッド部の一部データ領域に格納する。
【００６４】
また、光信号処理部、伝送信号受信処理部において、直接、上流側の伝送路より主信号の障害を検出した場合においても、障害伝達信号もしくは擬似障害伝達信号を検出した場合と同様の処理を行うものとする。
【００６５】
本実施形態によれば、アウトオブサービス回線試験を実行中であっても、クライアント側ＩＦを有する伝送装置において障害伝達信号を検出できるため、回線試験の対象となるパスのクライアント側ＩＦの光出力停止を実行することが可能であり、また、障害が生じていない場合には試験完了後に光出力停止の解除を実行することができる。
【００６６】
なお、本実施形態においては、アウトオブサービス回線試験の実行中に、障害伝達信号だけでなく、伝送装置間で監視制御情報を通信することが可能である。
【００６７】
〔第２の実施形態〕
本発明の第２の実施形態を説明する。本実施形態は、アウトオブサービス回線試験の折返し装置において、回線試験の実行によって一時的に主信号フレームの障害伝達信号を含むオーバヘッド部の一部の情報バイト、およびペイロード部のデータ領域が制御不可となる場合の解決方法であり、主信号フレーム内の他の制御可能なデータ領域を用いて障害伝達信号を転送するものである。
【００６８】
本実施形態に係る回線試験装置は、二つのクライアント装置間を接続する複数の伝送装置を有し、該伝送装置において、以下に示す処理を行なう。
【００６９】
すなわち、上流側の伝送装置から主信号を受信する光信号受信部と、障害伝達信号を検出可能な伝送信号受信処理部と、試験信号の分離および折返しが可能な試験信号分離／折返し部と、試験信号の挿入が可能な試験信号挿入部と、障害伝達信号を書き込み可能な伝送信号送信処理部と、下流側の伝送装置へ主信号を送信する光信号送信部と、そしてこれらを監視制御できる監視制御部とを具備する中継局用ＩＦ部を有する伝送装置を回線試験に用いる場合は、該伝送装置において以下の処理を行なう。
【００７０】
試験信号の挿入／折返し／分離の設定によって障害伝達信号を下流側の伝送装置に転送できない場合は、上流側の伝送装置から受信する主信号の障害検出および伝送信号受信処理部にて検出した障害伝達信号をトリガーとして、フレームの制御可能なデータ領域（試験用データ領域と重複しなければペイロード部でも良い）に、擬似的に障害伝達信号（以下、擬似障害伝達信号）を制御情報として定義し、上記フレームの制御可能なデータ領域に格納し、下流側の伝送装置に転送する。また、光信号処理部、伝送信号受信処理部において、直接、上流側の伝送路より主信号の障害を検出した場合においても、障害伝達信号を検出した場合と同様の対処を行うものとする。
【００７１】
また、端局用ＩＦ部を有し、パス終端ノードを構成する伝送装置において試験信号の挿入／折返し／分離の設定によって障害伝達信号を下流側の伝送装置に転送できない場合は、クライアント側ＩＦでの障害検出をトリガーとしてフレームの制御可能なデータ領域（試験用データ領域と重複しなければペイロード部でも良い）に、擬似障害伝達信号を格納し、下流側の伝送装置に転送し、上流側の伝送装置から受信する主信号の障害検出、伝送信号受信処理部にて検出された障害伝達信号および擬似障害伝達信号をトリガーとして、クライアント側ＩＦの光出力停止を行う。
【００７２】
なお、端局用ＩＦ部を有する伝送装置においては、上流の伝送装置から受信する主信号に障害が発生しておらず、伝送信号受信処理部において障害伝達信号が未受信である場合に、上記擬似障害伝達信号の検出を開始し、擬似障害伝達信号を検出した場合はクライアント側ＩＦの光出力停止を実行する。一方、障害伝達信号および擬似障害伝達信号を非検出であること、障害を検出していないことが確認された場合は、クライアント側ＩＦの光出力停止を解除する。
【００７３】
本実施形態によれば、アウトオブサービス回線試験を実行中であっても障害伝達信号を転送できるため、障害が発生している場合は、アウトオブサービス回線試験を実行したパスのクライアント側ＩＦの光出力停止を維持することができる。
【００７４】
なお、本実施形態においては、アウトオブサービス回線試験の実行中に、障害伝達信号だけでなく、伝送装置間で監視制御情報を通信することが可能である。
【実施例１】
【００７５】
図１に基づいて本発明の第１の実施例を詳細に説明する。図１は本実施例に係る回線試験装置の一部を示す説明図である。なお、本実施例に係る回線試験システムは、例えば図５（ａ）に示し上述した回線試験装置における伝送装置４０１〜４０４に変えて、図１に示す伝送装置０１〜０４を用いる点で異なり、その他の構成は図５（ａ）に示す構成と同様とする。また、端局用ＩＦ部３１、中継局用ＩＦ部３２の構成はそれぞれ図６、図７に示した構成と同様とする。以下、図５、図６、図７に示し上述した構成については、同一符号を用いて説明するものとし、重複する説明は適宜省略する。
【００７６】
図１に示すように、本実施例は、伝送装置０２及び伝送装置０３を用いて回線試験を行なう例であり、伝送装置０２から試験信号を挿入し、伝送装置０３で試験信号を折返し、伝送装置０２で試験信号を分離するものとする。すなわち、本実施例においては伝送装置０２を挿入／分離装置、伝送装置０３を折返し装置とする。図１（ａ）は伝送装置０１のクライアント側ＩＦで障害（図中、ｘ印で示す）が発生した場合、図１（ｂ）は伝送装置０４のクライアント側ＩＦで障害が発生した場合の本実施例に係る回線試験装置による処理を示す図である。
【００７７】
本実施例では、一例としてＳＯＮＥＴ／ＳＤＨフレームを使用した場合について説明する。ＳＯＮＥＴ／ＳＤＨフレームを使用した場合、試験用フレームと非試験用データ領域としての非試験用フレームの定義は、例えば、ネットワークの運用者が自由に使用できるユーザチャネルバイト用のＦ１バイトを使用することが可能である。本明細書では、Ｆ１バイトが「オール１」のフレームを試験用フレーム、Ｆ１バイトが「オール０」のフレームを非試験用フレームとする。
【００７８】
試験信号を挿入する伝送装置０２は、該伝送装置０２が有する中継局用ＩＦ部３２の試験信号挿入部３２ｋにおいて伝送装置０３へ送信する主信号フレームの総フレーム数に対して一定比率のフレームのペイロード部に試験信号を挿入する（このとき、伝送装置０２から受信する非試験用フレームのペイロード部に格納される主信号データは、試験信号の挿入により欠落する）。また、伝送信号受信処理部３２ｃは、伝送装置０１から受信する主信号フレームにおいて障害および障害伝達信号を監視し、これらを検出した場合は後段の伝送信号送信処理部３２ｉにて非試験用フレームに障害伝達信号を格納する。さらに、伝送信号送信処理部３２ｉでは、試験信号を格納したペイロード部に対しては試験用フレームとしてＦ１バイトが「オール１」であるオーバヘッド部を付与し、試験信号が格納されていないペイロード部に対しては非試験用フレームとして「オール０」であるオーバヘッド部を付与し、伝送装置０３へ送信する。
【００７９】
試験信号を折り返す伝送装置０３では、中継局用ＩＦ部３２の伝送信号受信処理部３２ｃにおいて伝送装置０２より受信するフレームにおいてＦ１バイトの検出を行う。Ｆ１バイトが「オール０」の非試験用フレームの場合、障害伝達信号の読み出しを行い、障害伝達信号がある場合は、障害伝達信号を伝送装置０４へ送信する（障害を検出した場合も同様である）。また、Ｆ１バイトが「オール１」の試験用フレームの場合、試験信号分離／折返し部３２ｅにおいて試験信号を折返し、伝送装置０２側の伝送信号送信処理部３２ｄにおいてＦ１バイトが「オール１」であるオーバヘッド部を付与し、試験用フレームとして伝送装置０２へ送信する。
【００８０】
さらに、試験信号を折り返す伝送装置０３では、伝送装置０４側の伝送信号受信処理部３２ｊにおいて伝送装置０４より受信する主信号フレームにおける障害および障害伝達信号を監視し、これらを検出した場合は、後段の伝送信号送信処理部３２ｄにおいてＦ１バイトが「オール０」であるオーバヘッド部を付与し非試験用フレームに障害伝達信号を格納して、該非試験用フレームを伝送装置０２へ送信する。ここで、伝送装置０２へ送信する試験用フレーム数と非試験用フレーム数の割合は、伝送装置０２から受信する試験用フレーム数と非試験用フレーム数の割合と同じである。
【００８１】
試験信号を分離する伝送装置０２では、伝送信号受信処理部３２ｊにおいて伝送装置０３から受信するフレームにおいてＦ１バイトを検出し、Ｆ１バイトが「オール１」の場合、試験信号分離／折返し部３２ｌにおいて試験用フレームを分離し、ペイロード部に格納された試験信号から試験結果の正常／異常を判断する。また、Ｆ１バイトが「オール０」の場合、障害伝達信号の検出を行い、障害伝達信号があれば、障害伝達信号を伝送装置０１に送信する（障害を検出した場合も同様である）。
【００８２】
なお、試験区間内に位置づけられ、試験信号の挿入／分離／折返し装置に該当しない伝送装置では、通常通り障害伝達信号が転送されるものとする。
【００８３】
また、本実施例においては、回線試験の対象となるパスを０系パスとして説明したが、回線試験の対象となるパスが１系パスである場合は、例えば、図５（ａ）に示し、上述した伝送装置２１１〜２１４において上述した処理を行う等、本発明の趣旨を逸脱しない範囲で種々の変更が可能であることはいうまでもない。
【００８４】
上述した本実施例に係る回線試験装置および回線試験方法によれば、アウトオブサービス回線試験の実行中においても、非試験用フレームを介して障害伝達信号を転送でき、クライアント側ＩＦの光出力停止の実行／解除を制御することができる。
【実施例２】
【００８５】
図２に基づいて本発明の第２の実施例を詳細に説明する。図２は本実施例に係る回線試験装置の一部を示す説明図である。なお、本実施例は、例えば図５（ａ）に示し上述した回線試験装置における伝送装置４０１〜４０４に変えて、図１に示す伝送装置１０１〜１０４を用いる点で異なり、その他の構成は図５（ａ）に示す構成と同様とする。また、端局用ＩＦ部１３１、中継局用ＩＦ部１３２の構成はそれぞれ図６、図７に示した構成と同様とする。以下、図５、図６、図７に示し上述した部材と同一の部材には同一符号を付し、重複する説明は適宜省略する。
【００８６】
図２に示すように、本実施例は、伝送装置１０２及び伝送装置１０３を用いて回線試験を行なう例であり、伝送装置１０２から試験信号を挿入し、伝送装置１０３で試験信号を折返し、伝送装置１０２で試験信号を分離するものとする。すなわち、本実施例においては伝送装置１０２を挿入／分離装置、伝送装置１０３を折返し装置とする。図２（ａ）は伝送装置１０１のクライアント側ＩＦで障害（図中、ｘ印で示す）が発生した場合の処理を示す図、図２（ｂ）は伝送装置１０４のクライアント側ＩＦで障害が発生した場合の処理を示す図である。
【００８７】
なお、本実施例は、ＳＯＮＥＴ／ＳＤＨの伝送方式における実施例であり、通常状態において中継局相互区間もしくは中継局と端局区間のデータ通信用チャネルの監視制御情報の転送を行うデータリンク用の情報バイトＤ１〜Ｄ３バイトを用いて障害伝達信号を転送する一方、アウトオブサービス回線試験の折返し装置において本制御バイトが制御不能となる場合を想定する。
【００８８】
図２（ａ）に示すように、伝送装置１０１のクライアント側ＩＦで障害が発生した場合、障害を検出した伝送装置１０１は、該伝送装置１０１の端局用ＩＦ部１３１後段の伝送信号送信処理部３１ｉにおいてＤ１〜Ｄ３バイトに障害伝達信号を格納し、伝送装置１０２に対し障害伝達信号の送信を行う。伝送装置１０２は、伝送装置１０１から受信するフレームにおいて障害伝達信号を検出すると、伝送装置１０１と同様に伝送装置１０２の中継局用ＩＦ部１３２後段の伝送信号送信処理部３２ｉにおいてＤ１〜Ｄ３バイトに障害伝達信号を格納し、伝送装置１０３に対し障害伝達信号の送信を行う。これにより、伝送装置１０３において伝送装置１０２から受信するフレームから障害伝達信号が検出される。
【００８９】
ここで、伝送装置１０３は、アウトオブサービス回線試験における折返し設定を実行中であることから、該伝送装置１０３の中継局用ＩＦ部１３２後段の伝送信号送信処理部３２ｉにおいてＤ１〜Ｄ３バイトに障害伝達信号を格納することはできない。そのため伝送装置１０３は、伝送装置１０４側の伝送信号送信処理部３２ｉにおいて、一例として主信号フレームの中継局相互区間もしくは中継局と端局区間の音声打合せ用のオーダワイヤの情報バイトであるＥ１バイトに擬似障害伝達信号として特定ビットパターンを格納し、伝送装置１０４へと送信する。伝送装置１０４は、障害が検出されず、端局用ＩＦ部１３１の伝送信号受信処理部３１ｊにおいてＤ１〜Ｄ３バイトの障害伝達信号が未検出である場合、Ｅ１バイトを監視し、擬似障害伝達信号の検出を行う。伝達装置１０４において擬似障害伝達信号を検出した場合は、該擬似障害伝達信号をトリガーとしてクライアント側ＩＦの光出力を停止することができる。
【００９０】
また、図２（ｂ）に示すように、伝送装置１０４のクライアント側ＩＦで障害が発生した場合、折返し装置となる伝送装置１０３において障害伝達信号が検出されるため、伝送装置１０３はＥ１バイトに擬似障害伝達信号を格納したフレームを伝送装置１０２に対して送信する。伝送装置１０２は擬似障害伝達信号を伝送装置１０１に対して送信する。これにより、伝送装置１０１において擬似障害伝達信号が検出されるため、クライアント側ＩＦの光出力を停止することができる。
【００９１】
なお、擬似障害伝達信号の転送中は、Ｅ１バイトの本来の使用目的である音声打合せを擬似障害伝達信号の転送区間において実行することはできなくなるが、本実施例はあくまでも一例であり、他の情報バイトやペイロード部の一部のデータ領域を用いることによっても適用可能であることはいうまでもない。
【産業上の利用可能性】
【００９２】
本発明は、クライアント装置におけるパス切替によりトラヒックを冗長化するネットワークにおいてアウトオブサービス回線試験を行う回線試験装置および回線試験方法に利用可能である。
【図面の簡単な説明】
【００９３】
【図１】本発明の実施例１に係るアウトオブサービス回線試験装置の構成を部分的に示す説明図である。
【図２】本発明の実施例２に係るアウトオブサービス回線試験装置の構成を部分的に示す説明図である。
【図３】トラヒックを冗長化する第１のネットワーク構成を示す説明図である。
【図４】トラヒックを冗長化する第２のネットワーク構成を示す説明図である。
【図５】トラヒックを冗長化する第３のネットワーク構成を示す説明図である。
【図６】端局用ＩＦ部の構成を示すブロック図である。
【図７】中継局用ＩＦ部の構成を示すブロック図である。
【図８】ＳＯＮＥＴ／ＳＤＨによるフレーム伝送方式におけるフレーム形式例を示す説明図である。
【図９】イーサネットによるパケット伝送方式におけるパケット形式例を示す説明図である。
【図１０】アウトオブサービス回線試験機能が障害伝達機能の妨げとなる事例を示す説明図である。
【図１１】アウトオブサービス回線試験機能が障害伝達機能の妨げとなる他の事例を示す説明図である。
【符号の説明】
【００９４】
０１〜０４，１０１〜１０４，伝送装置
３１，１３１  端局用ＩＦ部
３２，１３２  中継局用ＩＦ部
３１ａ，３１ｈ，３２ａ，３２ｈ  光信号受信部
３１ｂ，３１ｇ，３２ｂ，３２ｇ  光信号送信部
３１ｃ  クライアント信号受信処理部
３１ｄ  クライアント信号送信処理部
３１ｊ，３２ｃ，３２ｊ  伝送信号受信処理部
３１ｉ，３２ｄ，３２ｉ  伝送信号送信処理部
３１ｋ，３２ｆ，３２ｋ  試験信号挿入部
３１ｍ，３２ｍ  監視制御部
【図１】
2008244714.tif 000003
【図２】
2008244714.tif 000004
【図３】
2008244714.tif 000005
【図４】
2008244714.tif 000006
【図５】
2008244714.tif 000007
【図６】
2008244714.tif 000008
【図７】
2008244714.tif 000009
【図８】
2008244714.tif 000010
【図９】
2008244714.tif 000011
【図１０】
2008244714.tif 000012
【図１１】
2008244714.tif 000013